(57)【要約】【課題】  鍋の搬送を確実に行うことができ、搬送後はコンパクトな鍋敷きとして使用することができる鍋搬送具を提供する。【解決手段】  鍋が載置される載置面１０ａを上面に有する支持板１０と、支持板１０に設けられた一対の把手２０，２１とを備え、一対の把手２０，２１は、いずれも環状に形成されており、支持板１０を載置面１０ａの下方から支持するように支持板１０に対して回動自在に取り付けられている鍋搬送具１。【選択図】  図１
0003203104.tif 000002
【実用新案登録請求の範囲】
【請求項１】
鍋が載置される載置面を上面に有する支持板と、前記支持板に設けられた一対の把手とを備え、
一対の前記把手は、いずれも環状に形成されており、前記支持板を前記載置面の下方から支持するように前記支持板に対して回動自在に取り付けられている鍋搬送具。
【請求項２】
前記支持板は、支持板本体の下面が底板で覆われて構成され、
前記支持板本体は、一対の前記把手にそれぞれ対応する複数の溝部が下面に形成されており、
前記溝部に前記把手の一部が収容されている請求項１に記載の鍋搬送具。
【考案の詳細な説明】
【技術分野】
【０００１】
本考案は、調理用の鍋を搬送するのに用いる鍋搬送具に関し、より詳しくは、鍋を搬送した後にそのまま鍋敷きとして使用することができる鍋搬送具に関する。
【背景技術】
【０００２】
運び盆および鍋敷きの両方の機能を備えるものとして、特許文献１には、樹脂製の盆体が開示されている。この盆体は、中央凹部の両側に連続する一対の指掛け凹部が形成されており、これら一対の指掛け凹部に対応する部分に切欠部を形成して取っ手としている。
【先行技術文献】
【特許文献】
【０００３】
【特許文献１】特開２０１０−１７２４４３号公報
【考案の概要】
【考案が解決しようとする課題】
【０００４】
ところが、上記従来の盆体は、土鍋等の重い鍋を搬送する場合に、鍋の姿勢が不安定になり易いため、より安全に搬送できることが望まれていた。
【０００５】
そこで、本考案は、鍋の搬送を確実に行うことができ、搬送後はコンパクトな鍋敷きとして使用することができる鍋搬送具の提供を目的とする。
【課題を解決するための手段】
【０００６】
本考案の前記目的は、鍋が載置される載置面を上面に有する支持板と、前記支持板に設けられた一対の把手とを備え、一対の前記把手は、いずれも環状に形成されており、前記支持板を前記載置面の下方から支持するように前記支持板に対して回動自在に取り付けられている鍋搬送具により達成される。
【０００７】
この鍋搬送具において、前記支持板は、支持板本体の下面が底板で覆われた構成にすることができる。この構成において、前記支持板本体は、一対の前記把手にそれぞれ対応する複数の溝部が下面に形成されており、前記溝部に前記把手の一部が収容されていることが好ましい。
【考案の効果】
【０００８】
本考案によれば、鍋の搬送を確実に行うことができ、搬送後はコンパクトな鍋敷きとして使用することができる鍋搬送具を提供することができる。
【図面の簡単な説明】
【０００９】
【図１】本考案の一実施形態に係る鍋搬送具の正面図である。
【図２】図１に示す鍋搬送具の側面図である。
【図３】図１に示す鍋搬送具の分解正面図である。
【図４】図１に示す鍋搬送具の使用方法を示す正面図である。
【図５】本考案の他の実施形態に係る鍋搬送具の正面図である。
【考案を実施するための形態】
【００１０】
以下、本考案の一実施形態について添付図面を参照しつつ説明する。図１は、本考案の一実施形態に係る鍋搬送具の正面図であり、図２は、図１に示す鍋搬送具の側面図である。図１および図２に示すように、鍋搬送具１は、支持板１０と、一対の把手２０，２１とを備えている。
【００１１】
支持板１０は、角部が面取りされた矩形平板状の部材であり、鍋が載置される載置面１０ａを上面に有している。支持板１０は、支持板本体１１の下面が底板１２で覆われて構成されている。支持板１０の材料は、一般的な運び盆に使用される公知の材料を使用可能であり、本実施形態では木製としている。支持板本体１１の下面には、側面に沿って互いに平行に延びる複数の溝部１３，１４が形成されている。
【００１２】
把手２０，２１は、矩形環状に形成された金属製のリングであり、矩形状の一辺に相当する部分が溝部１３，１４内にそれぞれ収容されている。溝部１３，１４の上方に位置する底部は、把手２０，２１の円形断面よりも曲率半径が若干大きい半円状に形成されており、把手２０，２１は、溝部１３，１４の底部に沿って摺動することで、矢示方向に滑らかに回動自在とされている。
【００１３】
上記の構成を備える鍋搬送具１は、図３に示すように、支持板本体１１の溝部１３，１４に一対の把手２０，２１をそれぞれ係合させた後、支持板本体１１の下面に底板１２を貼り合わせることにより、容易に製造することができる。
【００１４】
本実施形態の鍋搬送具１によれば、図４（ａ）に示すように、支持板１０の載置面１０ａに土鍋等の鍋Ｐを載置し、一対の把手２０，２１を矢示方向に回動させて両手で持ち上げることにより、鍋Ｐを搬送することができる。
【００１５】
一対の把手２０，２１は、支持板１０を載置面１０ａの下方から支持するように取り付けられているので、載置面１０ａに載置された鍋Ｐの重量が大きい場合でも、支持板１０を介して鍋Ｐを確実に支持することができる。更に、一対の把手２０，２１は、図４（ａ）に示すように、環状の内周側を回動によって鍋Ｐに係合させることができるので、一対の把手２０，２１によって鍋Ｐを両側から挟持することができる。こうして、搬送中に鍋Ｐの姿勢が不安定になるおそれがなく、鍋Ｐを食卓テーブル等に確実に搬送することができる。
【００１６】
鍋Ｐの搬送後は、図４（ｂ）に示すように支持板１０をテーブルＴに置き、一対の把手２０，２１を、テーブルＴの上面に沿うように矢示方向に回動させる。これにより、一対の把手２０，２１がテーブルＴ上で邪魔になるおそれがなく、支持板１０をコンパクトな鍋敷きとしてそのまま使用することができる。
【００１７】
以上、本発明の一実施形態について詳述したが、本発明の具体的な態様は上記実施形態に限定されない。例えば、本実施形態においては、一対の把手２０，２１を矩形状に形成しているが、環状であればその形状は特に限定されるものではなく、例えば、多角形状にしたり一部を湾曲させる等して、使用者が把持し易い形状にしてもよい。
【００１８】
また、図４（ａ）に示すように一対の把手２０，２１が鍋Ｐに接触する部分には、弾性変形可能なクッション材を巻き付ける等して、鍋Ｐを確実に挟持できるように構成してもよい。更に、一対の把手２０，２１は、リングの大きさを調整できるように、半環状の２つの部材を伸縮可能に組みわせて構成してもよい。
【００１９】
また、本実施形態においては、一対の把手２０，２１の一部が溝部１３，１４内に収容された構成としているが、例えば、支持板１０の下部にリング状の取付部を設けて、一対の把手２０，２１を挿通させることもできる。支持板１０に対する一対の把手２０，２１の取付位置は、載置面１０ａよりも下方であれば、特に限定されない。
【００２０】
また、本実施形態においては、一対の把手２０，２１を同じ大きさとしているが、一方の把手２１の長さと幅を、他方の把手２０の長さと幅よりも、それぞれ若干大きくしてもよい。この構成によれば、図５に示すように、一対の把手２０，２１を内方に回動させたときに、一対の把手２０，２１同士が互いに干渉するのを防止することができ、コンパクトに折り畳んで収納することができる。
【符号の説明】
【００２１】
１  鍋搬送具
１０  支持板
１０ａ  載置面
１１  支持板本体
１２  底板
１３，１４  溝部
２０，２１  把手
【図１】
0003203104.tif 000003
【図２】
0003203104.tif 000004
【図３】
0003203104.tif 000005
【図４】
0003203104.tif 000006
【図５】
0003203104.tif 000007